(57)【要約】【課題】ショッピングサイトにおいて、ユーザとユーザに対してアンケートなどを実施したい企業と商品販売者が１つのＷｅｂサイトを通して関われるようにして、ユーザはお金が無くても商品を購入できる仕組みを実現することでユーザとサービス実施者である企業と商品販売者とＷｅｂサイトの４者がそれぞれ抱えている課題を解決できるサーバ装置及び、サーバプログラム及び、サーバ運用方法を提供する【解決手段】サービス実施者がＷｅｂサイトでお金をポイントに交換することでサービス実施者が実施するアンケートなどのサービスに協力したユーザに対してサービス実施者からポイントを付与でき、ユーザは得たポイントを使って商品を購入する事ができ、商品販売者はユーザがポイントを使って商品を購入することで売上拡大をする事ができ商品販売者が得たポイントを換金することでＷｅｂサイトは商品販売者から換金手数料を得ることができる【選択図】図１
2016119034.tif 000002
【特許請求の範囲】
【請求項１】
商品販売者の端末とユーザの端末とサービス実施者の端末がアクセス可能なＷｅｂサイトを構成するサーバ装置であって、
前記サービス実施者端末のサービス実施者は前記Ｗｅｂサイトを利用する前記ユーザ端末のユーザに対してサービスを実施することが可能な実施手段と
前記サービス実施者が実施するサービスに協力したユーザに対して、協力対価としてサービス実施者から付与することに使用可能な同額分の金銭的価値を示すポイントにお金を交換できる、ポイント交換手段と
当該交換したポイントを当該サービス実施者の識別情報に対応付けて記憶手段に記憶する交換ポイント記憶手段と
とを備えることを特徴とするサーバ装置。
【請求項２】
商品販売者の端末とユーザの端末とサービス実施者の端末がアクセス可能なＷｅｂサイトを構成するサーバ装置であって、
前記サービス実施者端末のサービス実施者は前記Ｗｅｂサイトを利用する前記ユーザ端末のユーザに対してサービスを実施することが可能な実施手段と
前記サービス実施者が実施するサービスに協力したユーザに対して、協力対価としてサービス実施者から付与することに使用可能な同額分の金銭的価値を示すポイントにお金を交換できる、ポイント交換手段と
当該交換したポイントを当該サービス実施者の識別情報に対応付けて記憶手段に記憶する交換ポイント記憶手段と
前記サービス実施者の実施するサービスに協力した前記ユーザに対して
前記サービス実施者から商品の決済に使用可能なポイントを付与する付与処理を実行し
当該付与されたポイントを当該ユーザの識別情報に対応付けて記憶手段に記憶する協力ポイント付与手段と
前記商品販売者が販売する商品に対して前記ユーザが保有するポイントによる決済を要求した場合に
前記ポイントによる決済要求に応じて前記商品の決済処理を実行する決済処理手段と
当該決済に使用されたポイントを当該商品販売者の識別情報に対応付けて記憶する記憶手段と
前記商品販売者が前記商品販売者データ記憶部に換金請求するポイント数を入力すると
当該ポイント数に応じた換金額を算出し、
前記商品販売者の指定口座へ前記換金額を支払う支払手段とを備えることを特徴とするサーバ装置。
【請求項３】
商品販売者の端末とユーザの端末とサービス実施者の端末がアクセス可能なＷｅｂサイトを構成するサーバ装置であって、
前記サービス実施者端末のサービス実施者は前記Ｗｅｂサイトを利用する前記ユーザ端末のユーザに対してサービスを実施することが可能な実施手段と
前記サービス実施者が実施するサービスに協力したユーザに対して、協力対価としてサービス実施者から付与することに使用可能な同額分の金銭的価値を示すポイントにお金を交換できる、ポイント交換手段と
当該交換したポイントを当該サービス実施者の識別情報に対応付けて記憶手段に記憶する交換ポイント記憶手段と
前記サービス実施者の実施するサービスに協力した前記ユーザに対して
前記サービス実施者から商品の決済に使用可能なポイントを付与する付与処理を実行し
当該付与されたポイントを当該ユーザの識別情報に対応付けて記憶手段に記憶する協力ポイント付与手段と
前記商品販売者が販売する商品に対して前記ユーザが保有するポイントによる決済を要求した場合に
前記ポイントによる決済要求に応じて前記商品の決済処理を実行する決済処理手段と
当該決済に使用されたポイントを当該商品販売者の識別情報に対応付けて記憶する記憶手段と
前記商品販売者が前記商品販売者データ記憶部に換金請求するポイント数を入力すると
当該ポイント数に前記Ｗｅｂサイトが定める手数料の換金率を乗して
換金の金額を算出するポイント換金手段と
当該商品販売者の前記ポイント換金手数料を当該Ｗｅｂサイトが受取る手数料受取手段とを
備えることを特徴とするサーバ装置。
【請求項４】
商品販売者の端末とユーザの端末とサービス実施者の端末がアクセス可能なＷｅｂサイトを構成するサーバ装置であって、
前記サービス実施者端末のサービス実施者は前記Ｗｅｂサイトを利用する前記ユーザ端末のユーザに対してサービスを実施することが可能な実施手段と
前記サービス実施者が実施するサービスに協力したユーザに対して、協力対価としてサービス実施者から付与することに使用可能な同額分の金銭的価値を示すポイントにお金を交換できる、ポイント交換手段と
当該交換したポイントを当該サービス実施者の識別情報に対応付けて記憶手段に記憶する交換ポイント記憶手段と
前記サービス実施者の実施するサービスに協力した前記ユーザに対して
前記サービス実施者から商品の決済に使用可能なポイントを付与する付与処理を実行し
当該付与されたポイントを当該ユーザの識別情報に対応付けて記憶手段に記憶する協力ポイント付与手段と
前記商品販売者が販売する商品に対して前記ユーザが保有するポイントによる決済を要求した場合に
前記ユーザが保有しているポイントからＷｅｂサイトが定める購入手数料を前記ユーザが保有するポイントから徴収する徴収手段と
前記ポイントによる決済要求に応じて前記商品の決済処理を実行する決済処理手段と
当該決済に使用されたポイントを当該商品販売者の識別情報に対応付けて記憶する記憶手段と
前記商品販売者が前記商品販売者データ記億部に換金請求するポイント数を入力すると
当該ポイント数に応じた換金額を算出し、
前記商品販売者の指定口座へ前記換金額を支払う支払手段とを備えることを特徴とするサーバ装置
【請求項５】
請求項２〜４のいずれかに記載のサーバ装置において、
前記サービス実施者が実施するアンケートに前記ユーザが前記アンケートに回答するための回答操作を行うことで
前記ユーザの端末から前記アンケートの回答を回収する回答回収手段と
当該回答回収手段により回収された前記アンケートに回答した前記ユーザへ
前記アンケートの協力対価として定めたポイント数を前記サービス実施者が保有するポイントから
前記アンケートに回答した前記ユーザへポイントを付与する付与手段を実行し、当該付与されたポイントを前記ユーザの識別情報に対応付けて記憶手段に記憶するポイント付与手段と
を更に備えることを特徴とするサーバ装置。
【請求項６】
請求項２〜４のいずれかに記載のサーバ装置において、
前記サービス実施者が配信する広告に前記ユーザが前記広告を視聴するための視聴操作を行うことで前記ユーザの端末から前記広告の視聴を確認する視聴確認手段と
当該視聴確認手段により視聴が確認された前記広告を視聴した前記ユーザへ
前記広告の視聴協力対価として定めたポイント数を前記サービス実施者が保有するポイントから前記広告を視聴した前記ユーザへポイントを付与する付与手段を実行し、当該付与されたポイントを前記ユーザの識別情報に対応付けて記憶手段に記憶するポイント付与手段
を更に備えることを特徴とするサーバ装置。
【請求項７】
請求項２〜４のいずれかに記載のサーバ装置において、
前記サービス実施者が配布するクーポンに前記ユーザが前記クーポンを
受取るための受取操作を行うことで
前記ユーザの端末から前記クーポンの受取を確認する受取確認手段と
当該受取確認手段により前記クーポンの受取りを確認された前記ユーザへ
前記クーポンの受取協力対価として定めたポイント数を前記サービス実施者が保有するポイントから前記クーポンを受取った前記ユーザへポイントを付与する付与手段を実行し、当該付与されたポイントを前記ユーザの識別情報に対応付けて記憶手段に記憶するポイント付与手段と
を更に備えることを特徴とするサーバ装置
【請求項８】
請求項２〜４のいずれかに記載のサーバ装置において、
前記サービス実施者が実施する署名に前記ユーザが前記署名に回答するための回答操作を行うことで前記ユーザの端末から前記署名の回答を回収する回答回収手段と
当該回答回収手段により回収された前記署名に回答した前記ユーザへ
前記署名の協力対価として定めたポイント数を前記サービス実施者が保有するポイントから
前記署名に回答した前記ユーザへポイントを付与する付与手段を実行し、当該付与されたポイントを前記ユーザの識別情報に対応付けて記憶手段に記憶するポイント付与手段と
を更に備えることを特徴とするサーバ装置
【請求項９】
請求項２〜４のいずれかに記載のサーバ装置において、
前記サービス実施者が配信するアプリケーションに前記ユーザが前記アプリケーションをダウンロードするためのダウンロード操作を行うことで、前記ユーザの端末から前記アプリケーションがダウンロードをされたかの確認をするダウンロード確認手段と
当該ダウンロード確認手段により前記アプリケーションのダウンロードが確認された前記ユーザへ前記アプリケーションのダウンロード協力対価として定めたポイント数を前記サービス実施者が保有するポイントから、前記アプリケーションのダウンロードをした前記ユーザへポイントを付与する付与手段を実行し、当該付与されたポイントを
前記ユーザの識別情報に対応付けて記憶手段に記憶するポイント付与手段と
を更に備えることを特徴とするサーバ装置。
【請求項１０】
請求項２〜４のいずれかに記載のサーバ装置において、
前記サービス実施者が配布するサンプリングサービスまたはサンプリング商品に前記ユーザが
前記サンプリングを利用するための受取操作を行うことで
前記ユーザの端末から前記サンプリングの受取りを確認するための受取確認手段と
当該受取確認手段により前記サンプリングの受取を確認された前記ユーザへ
前記サンプリングの受取協力対価として定めたポイント数を前記サービス実施者が保有するポイントから前記サンプリングを受取った前記ユーザへポイントを付与する付与手段を実行し、当該付与されたポイントを前記ユーザの識別情報に対応付けて記憶手段に記憶するポイント付与手段とを更に備えることを特徴とするサーバ装置。
【請求項１１】
請求項１〜１０のいずれかに記載のサーバ装置において、
前記サービス実施者がお金を同額分の金銭的価値を示すポイントに交換するにあたりポイント以外にコイン又は電子マネーへの交換を選択できる選択手段と
前記サービス実施者の実施するサービスに協力した前記ユーザに対して
前記サービス実施者から商品の決済に使用可能なポイント又はコイン又は電子マネーを付与する
付与処理を実行し、当該付与されたポイント又はコイン又は電子マネーを当該ユーザの識別情報に対応付けて記憶手段に記憶する協力対価付与手段と
前記商品販売者が販売する商品に対して前記ユーザが保有するポイント又はコイン又は電子マネーによる決済を要求した場合に前記ポイント又は前記コイン又は前記電子マネーによる前記決済要求に応じて前記商品の決済処理を実行する決済処理手段と
当該決済に使用された前記ポイント又は前記コイン又は前記電子マネーを当該商品販売者の識別情報に対応付けて記憶する記憶手段と
前記商品販売者が前記商品販売者データ記憶部に換金請求するポイント数又はコイン額又は電子マネー額を入力すると換金数に応じた完金額を算出し
前記商品販売者の指定口座へ前記換金額を支払う支払手段とを
更に備えることを特徴とするサーバ装置
【請求項１２】
請求項１〜１１のいずれかに記載のサーバ装置において、
前記ポイントで決済可能な商品には電子書籍商品や動画配信サービス商品やデジタル情報商品を含むことを特徴とする。
【請求項１３】
商品販売者の端末とユーザの端末とサービス実施者の端末がアクセス可能なＷｅｂサイトを構成するコンピュータに
前記サービス実施者端末のサービス実施者は前記Ｗｅｂサイトを利用する前記ユーザ端末のユーザに対してサービスを実施するステップと
前記サービス実施者が実施するサービスに協力したユーザに対して、協力対価としてサービス実施者から付与することに使用可能な同額分の金銭的価値を示すポイントにお金を交換できる、ステップと
当該交換したポイントを当該サービス実施者の識別情報に対応付けて記憶手段に記憶するステップと
前記サービス実施者の実施するサービスに協力した前記ユーザに対して
前記サービス実施者から商品の決済に使用可能なポイントを付与する付与処理を実行し
当該付与されたポイントを当該ユーザの識別情報に対応付けて記憶手段に記憶するステップと
前記商品販売者が販売する商品に対して前記ユーザが保有するポイントによる決済を要求した場合に
前記ポイントによる決済要求に応じて前記商品の決済処理を実行するステップと
当該決済に使用されたポイントを当該商品販売者の識別情報に対応付けて記憶するステップと
前記商品販売者が前記商品販売者データ記憶部に換金請求するポイント数を入力すると
当該ポイント数に応じた換金額を算出し、
前記商品販売者の指定口座へ前記換金額を支払うステップとを実行することを特徴とするサーバプログラム。
【請求項１４】
商品販売者の端末とユーザの端末とサービス実施者の端末がアクセス可能なＷｅｂサイトを構成するコンピュータに
前記サービス実施者端末のサービス実施者は前記Ｗｅｂサイトを利用する前記ユーザ端末のユーザに対してサービスを実施するステップと
前記サービス実施者が実施するサービスに協力したユーザに対して、協力対価としてサービス実施者から付与することに使用可能な同額分の金銭的価値を示すポイントにお金を交換できる、ステップと
当該交換したポイントを当該サービス実施者の識別情報に対応付けて記憶手段に記憶するステップと
前記サービス実施者の実施するサービスに協力した前記ユーザに対して
前記サービス実施者から商品の決済に使用可能なポイントを付与する付与処理を実行し
当該付与されたポイントを当該ユーザの識別情報に対応付けて記憶手段に記憶するステップと
前記商品販売者が販売する商品に対して前記ユーザが保有するポイントによる決済を要求した場合に
前記ポイントによる決済要求に応じて前記商品の決済処理を実行するステップと
当該決済に使用されたポイントを当該商品販売者の識別情報に対応付けて記憶するステップと
前記商品販売者が前記商品販売者データ記憶部に換金請求するポイント数を入力すると
当該ポイント数に前記Ｗｅｂサイトが定める手数料の換金率を乗して
換金の金額を算出するステップと
当該商品販売者の前記ポイント換金手数料を当該Ｗｅｂサイトが受取るステップとを
実行することを特徴とするサーバプログラム。
【請求項１５】
商品販売者の端末とユーザの端末とサービス実施者の端末がアクセス可能なＷｅｂサイトを構成するコンピュータに
前記サービス実施者端末のサービス実施者は前記Ｗｅｂサイトを利用する前記ユーザ端末のユーザに対してサービスを実施するステップと
前記サービス実施者が実施するサービスに協力したユーザに対して、協力対価としてサービス実施者から付与することに使用可能な同額分の金銭的価値を示すポイントにお金を交換できる、ステップと
当該交換したポイントを当該サービス実施者の識別情報に対応付けて記憶手段に記憶するステップと
前記サービス実施者の実施するサービスに協力した前記ユーザに対して
前記サービス実施者から商品の決済に使用可能なポイントを付与する付与処理を実行し
当該付与されたポイントを当該ユーザの識別情報に対応付けて記憶手段に記憶するステップと
前記商品販売者が販売する商品に対して前記ユーザが保有するポイントによる決済を要求した場合に
前記ユーザが保有しているポイントからＷｅｂサイトが定める購入手数料を前記ユーザが保有するポイントから徴収するステップと
前記ポイントによる決済要求に応じて前記商品の決済処理を実行するステップと
当該決済に使用されたポイントを当該商品販売者の識別情報に対応付けて記憶するステップと
前記商品販売者が前記商品販売者データ記憶部に換金請求するポイント数を入力すると
当該ポイント数に応じた換金額を算出し、
前記商品販売者の指定口座へ前記換金額を支払うステップとを実行することを特徴とするサーバプログラム。
【請求項１６】
商品販売者の端末とユーザの端末とサービス実施者の端末がアクセス可能なＷｅｂサイトを構成するサーバ装置におけるＷｅｂサイト運用方法であって
前記サービス実施者端末のサービス実施者は前記Ｗｅｂサイトを利用する前記ユーザ端末のユーザに対してサービスを実施するステップと
前記サービス実施者が実施するサービスに協力したユーザに対して、協力対価としてサービス実施者から付与することに使用可能な同額分の金銭的価値を示すポイントにお金を交換できる、ステップと
当該交換したポイントを当該サービス実施者の識別情報に対応付けて記憶手段に記憶するステップと
前記サーバ装置が前記サービス実施者の実施するサービスに協力した前記ユーザに対して
前記サービス実施者から商品の決済に使用可能なポイントを付与する付与処理を実行し
当該付与されたポイントを当該ユーザの識別情報に対応付けて記憶手段に記憶するステップと
前記サーバ装置は前記商品販売者が販売する商品に対して前記ユーザが保有するポイントによる決済を要求した場合に
前記ポイントによる決済要求に応じて前記商品の決済処理を実行するステップと
前記サーバ装置が当該決済に使用されたポイントを当該商品販売者の識別情報に対応付けて記憶するステップと
前記サーバ装置は前記商品販売者が前記商品販売者データ記憶部に換金請求するポイント数を入力すると
当該ポイント数に応じた換金額を算出し、
前記商品販売者の指定口座へ前記換金額を支払うステップとを含むことを特徴とするＷｅｂサイト運用方法。
【請求項１７】
商品販売者の端末とユーザの端末とサービス実施者の端末がアクセス可能なＷｅｂサイトを構成するサーバ装置におけるＷｅｂサイト運用方法であって
前記サービス実施者端末のサービス実施者は前記Ｗｅｂサイトを利用する前記ユーザ端末のユーザに対してサービスを実施するステップと
前記サービス実施者が実施するサービスに協力したユーザに対して、協力対価としてサービス実施者から付与することに使用可能な同額分の金銭的価値を示すポイントにお金を交換できる、ステップと
当該交換したポイントを当該サービス実施者の識別情報に対応付けて記憶手段に記憶するステップと
前記サーバ装置が前記サービス実施者の実施するサービスに協力した前記ユーザに対して
前記サービス実施者から商品の決済に使用可能なポイントを付与する付与処理を実行し
当該付与されたポイントを当該ユーザの識別情報に対応付けて記憶手段に記憶するステップと
前記サーバ装置は前記商品販売者が販売する商品に対して前記ユーザが保有するポイントによる決済を要求した場合に
前記ポイントによる決済要求に応じて前記商品の決済処理を実行するステップと
当該決済に使用されたポイントを当該商品販売者の識別情報に対応付けて記憶するステップと
前記サーバ装置は前記商品販売者が前記商品販売者データ記憶部に換金請求するポイント数を入力すると
当該ポイント数に前記Ｗｅｂサイトが定める手数料の換金率を乗して
換金の金額を算出するステップと
前記サーバ装置が当該商品販売者の前記ポイント換金手数料を当該Ｗｅｂサイトが受取るステップとを含むことを特徴とするＷｅｂサイト運用方法。
【請求項１８】
商品販売者の端末とユーザの端末とサービス実施者の端末がアクセス可能なＷｅｂサイトを構成するサーバ装置におけるＷｅｂサイト運用方法であって
前記サービス実施者端末のサービス実施者は前記Ｗｅｂサイトを利用する前記ユーザ端末のユーザに対してサービスを実施するステップと
前記サービス実施者が実施するサービスに協力したユーザに対して、協力対価としてサービス実施者から付与することに使用可能な同額分の金銭的価値を示すポイントにお金を交換できる、ステップと
当該交換したポイントを当該サービス実施者の識別情報に対応付けて記憶手段に記憶するステップと
前記サーバ装置が前記サービス実施者の実施するサービスに協力した前記ユーザに対して
前記サービス実施者から商品の決済に使用可能なポイントを付与する付与処理を実行し
当該付与されたポイントを当該ユーザの識別情報に対応付けて記憶手段に記憶するステップと
前記サーバ装置は前記商品販売者が販売する商品に対して前記ユーザが保有するポイントによる決済を要求した場合に、前記ユーザが保有しているポイントからＷｅｂサイトが定める購入手数料を前記ユーザが保有するポイントから徴収するステップと
前記サーバ装置が前記ポイントによる決済要求に応じて前記商品の決済処理を実行するステップと、前記サーバ装置が当該決済に使用されたポイントを当該商品販売者の識別情報に対応付けて記憶するステップと、前記サーバ装置は前記商品販売者が前記商品販売者データ記憶部に換金請求するポイント数を入力すると、当該ポイント数に応じた換金額を算出し、
前記商品販売者の指定口座へ前記換金額を支払うステップとを含むことを特徴とするＷｅｂサイト運用方法。
【請求項１９】
商品販売者の端末とユーザの端末とサービス実施者の端末がアクセス可能なＷｅｂサイトを構成するサーバ装置におけるＷｅｂサイト運用方法であって
前記サービス実施者端末のサービス実施者は前記Ｗｅｂサイトを利用する前記ユーザ端末のユーザに対してサービスを実施するステップと
前記サービス実施者が実施するサービスに協力したユーザに対して、協力対価としてサービス実施者から付与することに使用可能な同額分の金銭的価値を示すポイントにお金を交換できる、ステップと当該交換したポイントを当該サービス実施者の識別情報に対応付けて記憶手段に記憶するステップと、前記サーバ装置が前記サービス実施者の実施するサービスに協力した前記ユーザに対して前記サービス実施者から商品の決済に使用可能なポイントを付与する付与処理を実行し当該付与されたポイントを当該ユーザの識別情報に対応付けて記憶手段に記憶するステップと前記サーバ装置は前記商品販売者が販売する商品に対して前記ユーザが保有するポイントによる決済を要求した場合に前記ポイントによる決済要求に応じて前記商品の決済処理を実行するステップと前記サーバ装置が当該決済に使用されたポイントを当該商品販売者の識別情報に対応付けて記憶するステップと
前記サーバ装置は前記商品販売者が前記商品販売者データ記憶部に換金請求するポイント数を入力すると
当該ポイント数に応じた換金額を算出し、
前記商品販売者の指定口座へ前記換金額を支払うステップとを含むことを特徴とするＷｅｂサイト運用方法。
【請求項２０】
商品販売者の端末とユーザの端末とサービス実施者の端末がアクセス可能なＷｅｂサイトを構成するコンピュータに
前記サービス実施者端末のサービス実施者は前記Ｗｅｂサイトを利用する前記ユーザ端末のユーザに対してサービスを実施するステップと
前記サービス実施者が実施するサービスに協力したユーザに対して、協力対価としてサービス実施者から付与することに使用可能な同額分の金銭的価値を示すポイントにお金を交換できる、ステップと
当該交換したポイントを当該サービス実施者の識別情報に対応付けて記憶手段に記憶するステップとを実行することを特徴とするサーバプログラム。
【請求項２１】
商品販売者の端末とユーザの端末とサービス実施者の端末がアクセス可能なＷｅｂサイトを構成するサーバ装置におけるＷｅｂサイト運用方法であって
前記サービス実施者端末のサービス実施者は前記Ｗｅｂサイトを利用する前記ユーザ端末のユーザに対してサービスを実施するステップと
前記サービス実施者が実施するサービスに協力したユーザに対して、協力対価としてサービス実施者から付与することに使用可能な同額分の金銭的価値を示すポイントにお金を交換できる、ステップと
当該交換したポイントを当該サービス実施者の識別情報に対応付けて記憶手段に記憶するステップとを含むことを特徴とするＷｅｂサイト運用方法。
【発明の詳細な説明】
【技術分野】
【０００１】本発明はインターネットを介してサービス実施者の端末と販売者の端末とユーザの端末がアクセス可能なショッピングサイトで、アンケートなどのサービスを実施するサービス実施者と商品を販売者する商品販売者とユーザとショッピングサイトの４者が関わることで、それぞれが抱える課題を解決できるサーバ装置、及びサーバプログラム、及びサーバ運用方法の技術分野に関する。
【発明の開示】
【発明が解決しようとする課題】
【０００２】従来において、企業などのサービス実施者はユーザに対して、アンケートなどの企業活動を実施してもユーザからの協力を得ることが難しかった。またユーザはお金をもっていないとショッピングサイトで、欲しい商品を購入することができなかった。
また商品販売者はお金をもっていないユーザには商品を販売することができなかった
またショッピングサイトはお金が無いユーザには販売者が販売する商品を購入できる仕組を提供できなかった。【０００３】本発明が解決しようとする課題は、オンラインショッピングサイトにおいて商品を購入したいユーザと、ユーザに対してアンケートなどの企業活動を行いたいサービス実施者と
商品を販売したい販売者と、Ｗｅｂサイトを利用してもらうことで、収益を得たいショッピングサイトが１つのＷｅｂサイトを通して関われることで、サービス実施者と販売者とユーザとＷｅｂサイトの４者がそれぞれ抱えている課題を解決できるサーバ装置、及びサーバプログラム、及びサーバ運用方法を提供することを目的とする。
【課題を解決するための手段】
【０００４】    上記課題を解決するために、請求項１に記載の発明は、
商品販売者の端末とユーザの端末とサービス実施者の端末がアクセス可能なＷｅｂサイトを構成するサーバ装置であって、
前記サービス実施者端末のサービス実施者は前記Ｗｅｂサイトを利用する前記ユーザ端末のユーザに対してサービスを実施することが可能な実施手段と
前記サービス実施者が実施するサービスに協力したユーザに対して、協力対価としてサービス実施者から付与することに使用可能な同額分の金銭的価値を示すポイントにお金を交換できる、ポイント交換手段と
当該交換したポイントを当該サービス実施者の識別情報に対応付けて記憶手段に記憶する交換ポイント記憶手段と
とを備えることを特徴とする【０００５】この発明によれば、
サービス実施者はＷｅｂサイトのユーザに対して、サービスを実施するにあたり、
Ｗｅｂサイトに対して、サービスを実施するための費用を支払う必要が無く、
サービス実施者がＷｅｂサイトでお金をポイントに交換することで、Ｗｅｂサイトのユーザへサービスを実施した際、サービスへ協力してくれたユーザへ付与できるポイントとして使用することができるようになる。【０００６】  請求項２に記載の発明は、
商品販売者の端末とユーザの端末とサービス実施者の端末がアクセス可能なＷｅｂサイトを構成するサーバ装置であって、
前記サービス実施者端末のサービス実施者は前記Ｗｅｂサイトを利用する前記ユーザ端末のユーザに対してサービスを実施することが可能な実施手段と
前記サービス実施者が実施するサービスに協力したユーザに対して、協力対価としてサービス実施者から付与することに使用可能な同額分の金銭的価値を示すポイントにお金を交換できる、ポイント交換手段と
当該交換したポイントを当該サービス実施者の識別情報に対応付けて記憶手段に記憶する交換ポイント記憶手段と
前記サービス実施者の実施するサービスに協力した前記ユーザに対して
前記サービス実施者から商品の決済に使用可能なポイントを付与する付与処理を実行し
当該付与されたポイントを当該ユーザの識別情報に対応付けて記憶手段に記憶する協力ポイント付与手段と
前記商品販売者が販売する商品に対して前記ユーザが保有するポイントによる決済を要求した場合に
前記ポイントによる決済要求に応じて前記商品の決済処理を実行する決済処理手段と
当該決済に使用されたポイントを当該商品販売者の識別情報に対応付けて記憶する記憶手段と
前記商品販売者が前記商品販売者データ記憶部に換金請求するポイント数を入力すると
当該ポイント数に応じた換金額を算出し、
前記商品販売者の指定口座へ前記換金額を支払う支払手段とを備えることを特徴とする【０００７】この発明によれば、
サービス実施者はＷｅｂサイトのユーザに対して、サービスを実施するにあたり、
Ｗｅｂサイトに対して、サービスを実施するための費用を支払う必要が無く、
サービス実施者がＷｅｂサイトでお金をポイントに交換することで、Ｗｅｂサイトのユーザへサービスを実施した際、サービスへ協力してくれたユーザへ付与できるポイントとして使用することができ、またユーザはサービス実施者が実施するサービスに協力することで得たポイントを使用して、商品販売者の商品を購入することができるようになり、その結果、商品販売者は今まで、お金がないという理由で商品を購入してもらえなかったユーザにポイントを使用して、商品を購入してもらえることで売上を拡大できるようになる。【０００８】  請求項３に記載の発明は、
商品販売者の端末とユーザの端末とサービス実施者の端末がアクセス可能なＷｅｂサイトを構成するサーバ装置であって、
前記サービス実施者端末のサービス実施者は前記Ｗｅｂサイトを利用する前記ユーザ端末のユーザに対してサービスを実施することが可能な実施手段と
前記サービス実施者が実施するサービスに協力したユーザに対して、協力対価としてサービス実施者から付与することに使用可能な同額分の金銭的価値を示すポイントにお金を交換できる、ポイント交換手段と
当該交換したポイントを当該サービス実施者の識別情報に対応付けて記憶手段に記憶する交換ポイント記憶手段と
前記サービス実施者の実施するサービスに協力した前記ユーザに対して
前記サービス実施者から商品の決済に使用可能なポイントを付与する付与処理を実行し
当該付与されたポイントを当該ユーザの識別情報に対応付けて記憶手段に記憶する協力ポイント付与手段と
前記商品販売者が販売する商品に対して前記ユーザが保有するポイントによる決済を要求した場合に
前記ポイントによる決済要求に応じて前記商品の決済処理を実行する決済処理手段と
当該決済に使用されたポイントを当該商品販売者の識別情報に対応付けて記憶する記憶手段と
前記商品販売者が前記商品販売者データ記憶部に換金請求するポイント数を入力すると
当該ポイント数に前記Ｗｅｂサイトが定める手数料の換金率を乗して
換金の金額を算出するポイント換金手段と
当該商品販売者の前記ポイント換金手数料を当該Ｗｅｂサイトが受取る手数料受取手段とを
備えることを特徴とする。【０００９】この発明によれば、
サービス実施者はＷｅｂサイトのユーザに対して、サービスを実施するにあたり、
Ｗｅｂサイトに対して、サービスを実施するための費用を支払う必要が無く、
サービス実施者がＷｅｂサイトでお金をポイントに交換することで、Ｗｅｂサイトのユーザへサービスを実施した際、サービスへ協力してくれたユーザへ付与できるポイントとして使用することができ、またユーザはサービス実施者が実施するサービスに協力することで得たポイントを使用して、商品販売者の商品を購入することができるようになり、その結果、商品販売者は今まで、お金がないという理由で商品を購入してもらえなかったユーザにポイントを使用して、商品を購入してもらえることで売上を拡大できるようになり、
またＷｅｂサイトは商品販売者がポイントを換金することにより手数料収入を得ることができるようになる。【００１０】請求項４に記載の発明は、
商品販売者の端末とユーザの端末とサービス実施者の端末がアクセス可能なＷｅｂサイトを構成するサーバ装置であって、
前記サービス実施者端末のサービス実施者は前記Ｗｅｂサイトを利用する前記ユーザ端末のユーザに対してサービスを実施することが可能な実施手段と
前記サービス実施者が実施するサービスに協力したユーザに対して、協力対価としてサービス実施者から付与することに使用可能な同額分の金銭的価値を示すポイントにお金を交換できる、ポイント交換手段と
当該交換したポイントを当該サービス実施者の識別情報に対応付けて記憶手段に記憶する交換ポイント記憶手段と
前記サービス実施者の実施するサービスに協力した前記ユーザに対して
前記サービス実施者から商品の決済に使用可能なポイントを付与する付与処理を実行し
当該付与されたポイントを当該ユーザの識別情報に対応付けて記憶手段に記憶する協力ポイント付与手段と
前記商品販売者が販売する商品に対して前記ユーザが保有するポイントによる決済を要求した場合に
前記ユーザが保有しているポイントからＷｅｂサイトが定める購入手数料を前記ユーザが保有するポイントから徴収する徴収手段と
前記ポイントによる決済要求に応じて前記商品の決済処理を実行する決済処理手段と
当該決済に使用されたポイントを当該商品販売者の識別情報に対応付けて記憶する記憶手段と
前記商品販売者が前記商品販売者データ記憶部に換金請求するポイント数を入力すると
当該ポイント数に応じた換金額を算出し、
前記商品販売者の指定口座へ前記換金額を支払う支払手段とを備えることを特徴とする【００１１】この発明によれば、
サービス実施者はＷｅｂサイトのユーザに対して、サービスを実施するにあたり、
Ｗｅｂサイトに対して、サービスを実施するための費用を支払う必要が無く、
サービス実施者がＷｅｂサイトでお金をポイントに交換することで、Ｗｅｂサイトのユーザへサービスを実施した際、サービスへ協力してくれたユーザへ付与できるポイントとして使用することができ、またユーザはサービス実施者が実施するサービスに協力することで得たポイントを使用して、商品販売者の商品を購入することができるようになり、その結果、商品販売者は今まで、お金がないという理由で商品を購入してもらえなかったユーザにポイントを使用して、商品を購入してもらえることで売上を拡大できるようになり
またＷｅｂサイトはユーザがポイントにより商品を購入することで購入手数料としてユーザが保有するポイントから購入手数料分のポイントを徴収することで収益を得ることができる。【００１２】請求項５に記載の発明は、
請求項２〜４のいずれかに記載のサーバ装置において、
前記サービス実施者が実施するアンケートに前記ユーザが前記アンケートに回答するための回答操作を行うことで
前記ユーザの端末から前記アンケートの回答を回収する回答回収手段と
当該回答回収手段により回収された前記アンケートに回答した前記ユーザへ
前記アンケートの協力対価として定めたポイント数を前記サービス実施者が保有するポイントから前記アンケートに回答した前記ユーザへポイントを付与する付与手段を実行し、当該付与されたポイントを前記ユーザの識別情報に対応付けて記憶手段に記憶するポイント付与手段と
を更に備えることを特徴とする。【００１３】請求項６に記載の発明は、
請求項２〜４のいずれかに記載のサーバ装置において、
前記サービス実施者が配信する広告に前記ユーザが前記広告を視聴するための視聴操作を行うことで、前記ユーザの端末から前記広告の視聴を確認する視聴確認手段と
当該視聴確認手段により視聴が確認された前記広告を視聴した前記ユーザへ
前記広告の視聴協力対価として定めたポイント数を前記サービス実施者が保有するポイントから前記広告を視聴した前記ユーザへポイントを付与する付与手段を実行し、当該付与されたポイントを前記ユーザの識別情報に対応付けて記憶手段に記憶するポイント付与手段
を更に備えることを特徴とする。【００１４】請求項７に記載の発明は、
請求項２〜４のいずれかに記載のサーバ装置において、
前記サービス実施者が配布するクーポンに前記ユーザが前記クーポンを
受取るための受取操作を行うことで
前記ユーザの端末から前記クーポンの受取を確認する受取確認手段と
当該受取確認手段により前記クーポンの受取りを確認された前記ユーザへ
前記クーポンの受取協力対価として定めたポイント数を前記サービス実施者が保有するポイントから
前記クーポンを受取った前記ユーザへポイントを付与する付与手段を実行し、当該付与されたポイントを前記ユーザの識別情報に対応付けて記憶手段に記憶するポイント付与手段と
を更に備えることを特徴とする。【００１５】請求項８に記載の発明は、
請求項２〜４のいずれかに記載のサーバ装置において、
前記サービス実施者が実施する署名に前記ユーザが前記署名に回答するための回答操作を行うことで前記ユーザの端末から前記署名の回答を回収する回答回収手段と
当該回答回収手段により回収された前記署名に回答した前記ユーザへ
前記署名の協力対価として定めたポイント数を前記サービス実施者が保有するポイントから
前記署名に回答した前記ユーザへポイントを付与する付与手段を実行し、当該付与されたポイントを前記ユーザの識別情報に対応付けて記憶手段に記憶するポイント付与手段と
を更に備えることを特徴とする。【００１６】請求項９に記載の発明は、
請求項２〜４のいずれかに記載のサーバ装置において、
前記サービス実施者が配信するアプリケーションに前記ユーザが前記アプリケーションをダウンロードするためのダウンロード操作を行うことで、前記ユーザの端末から前記アプリケーションがダウンロードをされたかの確認をするダウンロード確認手段と
当該ダウンロード確認手段により前記アプリケーションのダウンロードが確認された前記ユーザへ前記アプリケーションのダウンロード協力対価として定めたポイント数を前記サービス実施者が保有するポイントから、前記アプリケーションのダウンロードをした前記ユーザへポイントを付与する付与手段を実行し、当該付与されたポイントを
前記ユーザの識別情報に対応付けて記憶手段に記憶するポイント付与手段と
を更に備えることを特徴とする。【００１７】請求項１０に記載の発明は、
請求項２〜４のいずれかに記載のサーバ装置において、
前記サービス実施者が配布するサンプリングサービスまたはサンプリング商品に前記ユーザが前記サンプリングを利用するための受取操作を行うことで
前記ユーザの端末から前記サンプリングの受取りを確認するための受取確認手段と
当該受取確認手段により前記サンプリングの受取を確認された前記ユーザへ
前記サンプリングの受取協力対価として定めたポイント数を前記サービス実施者が保有するポイントから前記サンプリングを受取った前記ユーザへポイントを付与する付与手段を実行し、当該付与されたポイントを前記ユーザの識別情報に対応付けて記憶手段に記憶するポイント付与手段とを更に備えることを特徴とする。【００１８】請求項１１に記載の発明は、
請求項１〜１０のいずれかに記載のサーバ装置において、
前記サービス実施者がお金を同額分の金銭的価値を示すポイントに交換するにあたり、ポイント以外にコイン又は電子マネーへの交換を選択できる選択手段と前記サービス実施者の実施するサービスに協力した前記ユーザに対して、前記サービス実施者から商品の決済に使用可能なポイント又はコイン又は電子マネーを付与する付与処理を実行し、当該付与されたポイント又はコイン又は電子マネーを当該ユーザの識別情報に対応付けて記憶手段に記憶する協力対価付与手段と
前記商品販売者が販売する商品に対して前記ユーザが保有するポイント又はコイン又は電子マネーによる決済を要求した場合に前記ポイント又は前記コイン又は前記電子マネーによる前記決済要求に応じて前記商品の決済処理を実行する決済処理手段と
当該決済に使用された前記ポイント又は前記コイン又は前記電子マネーを当該商品販売者の識別情報に対応付けて記憶する記憶手段と
前記商品販売者が前記商品販売者データ記憶部に換金請求するポイント数又はコイン額又は電子マネー額を入力すると換金数に応じた完金額を算出し
前記商品販売者の指定口座へ前記換金額を支払う支払手段とを
更に備えることを特徴とする。【００１９】請求項１２に記載の発明は、
請求項１〜１１のいずれかに記載のサーバ装置において、
前記ポイントで決済や値引きに可能な商品には電子書籍や動画配信サービスや写真データや映像データや文字情報商品などのデジタル情報商品を含むことを特徴とする。【００２０】  請求項１３に記載の発明は、
商品販売者の端末とユーザの端末とサービス実施者の端末がアクセス可能なＷｅｂサイトを構成するコンピュータに
前記サービス実施者端末のサービス実施者は前記Ｗｅｂサイトを利用する前記ユーザ端末のユーザに対してサービスを実施するステップと
前記サービス実施者が実施するサービスに協力したユーザに対して、協力対価としてサービス実施者から付与することに使用可能な同額分の金銭的価値を示すポイントにお金を交換できる、ステップと
当該交換したポイントを当該サービス実施者の識別情報に対応付けて記憶手段に記憶するステップと
前記サービス実施者の実施するサービスに協力した前記ユーザに対して
前記サービス実施者から商品の決済に使用可能なポイントを付与する付与処理を実行し
当該付与されたポイントを当該ユーザの識別情報に対応付けて記憶手段に記憶するステップと
前記商品販売者が販売する商品に対して前記ユーザが保有するポイントによる決済を要求した場合に
前記ポイントによる決済要求に応じて前記商品の決済処理を実行するステップと
当該決済に使用されたポイントを当該商品販売者の識別情報に対応付けて記憶するステップと
前記商品販売者が前記商品販売者データ記憶部に換金請求するポイント数を入力すると
当該ポイント数に応じた換金額を算出し、
前記商品販売者の指定口座へ前記換金額を支払うステップとを実行することを特徴とするサーバプログラム。【００２１】  請求項１４に記載の発明は、
商品販売者の端末とユーザの端末とサービス実施者の端末がアクセス可能なＷｅｂサイトを構成するコンピュータに
前記サービス実施者端末のサービス実施者は前記Ｗｅｂサイトを利用する前記ユーザ端末のユーザに対してサービスを実施するステップと
前記サービス実施者が実施するサービスに協力したユーザに対して、協力対価としてサービス実施者から付与することに使用可能な同額分の金銭的価値を示すポイントにお金を交換できる、ステップと
当該交換したポイントを当該サービス実施者の識別情報に対応付けて記憶手段に記憶するステップと
前記サービス実施者の実施するサービスに協力した前記ユーザに対して
前記サービス実施者から商品の決済に使用可能なポイントを付与する付与処理を実行し
当該付与されたポイントを当該ユーザの識別情報に対応付けて記憶手段に記憶するステップと
前記商品販売者が販売する商品に対して前記ユーザが保有するポイントによる決済を要求した場合に
前記ポイントによる決済要求に応じて前記商品の決済処理を実行するステップと
当該決済に使用されたポイントを当該商品販売者の識別情報に対応付けて記憶するステップと
前記商品販売者が前記商品販売者データ記憶部に換金請求するポイント数を入力すると
当該ポイント数に前記Ｗｅｂサイトが定める手数料の換金率を乗して
換金の金額を算出するステップと
当該商品販売者の前記ポイント換金手数料を当該Ｗｅｂサイトが受取るステップとを
実行することを特徴とするサーバプログラム。【００２２】  請求項１５に記載の発明は、
商品販売者の端末とユーザの端末とサービス実施者の端末がアクセス可能なＷｅｂサイトを構成するコンピュータに
前記サービス実施者端末のサービス実施者は前記Ｗｅｂサイトを利用する前記ユーザ端末のユーザに対してサービスを実施するステップと
前記サービス実施者が実施するサービスに協力したユーザに対して、協力対価としてサービス実施者から付与することに使用可能な同額分の金銭的価値を示すポイントにお金を交換できる、ステップと
当該交換したポイントを当該サービス実施者の識別情報に対応付けて記憶手段に記憶するステップと
前記サービス実施者の実施するサービスに協力した前記ユーザに対して
前記サービス実施者から商品の決済に使用可能なポイントを付与する付与処理を実行し
当該付与されたポイントを当該ユーザの識別情報に対応付けて記憶手段に記憶するステップと
前記商品販売者が販売する商品に対して前記ユーザが保有するポイントによる決済を要求した場合に
前記ユーザが保有しているポイントからＷｅｂサイトが定める購入手数料を前記ユーザが保有するポイントから徴収するステップと
前記ポイントによる決済要求に応じて前記商品の決済処理を実行するステップと
当該決済に使用されたポイントを当該商品販売者の識別情報に対応付けて記憶するステップと
前記商品販売者が前記商品販売者データ記憶部に換金請求するポイント数を入力すると
当該ポイント数に応じた換金額を算出し、
前記商品販売者の指定口座へ前記換金額を支払うステップとを実行することを特徴とするサーバプログラム。【００２３】  請求項１６に記載の発明は、
商品販売者の端末とユーザの端末とサービス実施者の端末がアクセス可能なＷｅｂサイトを構成するサーバ装置におけるＷｅｂサイト運用方法であって
前記サービス実施者端末のサービス実施者は前記Ｗｅｂサイトを利用する前記ユーザ端末のユーザに対してサービスを実施するステップと
前記サービス実施者が実施するサービスに協力したユーザに対して、協力対価としてサービス実施者から付与することに使用可能な同額分の金銭的価値を示すポイントにお金を交換できる、ステップと
当該交換したポイントを当該サービス実施者の識別情報に対応付けて記憶手段に記憶するステップと
前記サーバ装置が前記サービス実施者の実施するサービスに協力した前記ユーザに対して
前記サービス実施者から商品の決済に使用可能なポイントを付与する付与処理を実行し
当該付与されたポイントを当該ユーザの識別情報に対応付けて記憶手段に記憶するステップと
前記サーバ装置は前記商品販売者が販売する商品に対して前記ユーザが保有するポイントによる決済を要求した場合に
前記ポイントによる決済要求に応じて前記商品の決済処理を実行するステップと
前記サーバ装置が当該決済に使用されたポイントを当該商品販売者の識別情報に対応付けて記憶するステップと
前記サーバ装置は前記商品販売者が前記商品販売者データ記憶部に換金請求するポイント数を入力すると
当該ポイント数に応じた換金額を算出し、
前記商品販売者の指定口座へ前記換金額を支払うステップとを含むことを特徴とするＷｅｂサイト運用方法。【００２４】  請求項１７に記載の発明は、
商品販売者の端末とユーザの端末とサービス実施者の端末がアクセス可能なＷｅｂサイトを構成するサーバ装置におけるＷｅｂサイト運用方法であって
前記サービス実施者端末のサービス実施者は前記Ｗｅｂサイトを利用する前記ユーザ端末のユーザに対してサービスを実施するステップと
前記サービス実施者が実施するサービスに協力したユーザに対して、協力対価としてサービス実施者から付与することに使用可能な同額分の金銭的価値を示すポイントにお金を交換できる、ステップと
当該交換したポイントを当該サービス実施者の識別情報に対応付けて記憶手段に記憶するステップと
前記サーバ装置が前記サービス実施者の実施するサービスに協力した前記ユーザに対して
前記サービス実施者から商品の決済に使用可能なポイントを付与する付与処理を実行し
当該付与されたポイントを当該ユーザの識別情報に対応付けて記憶手段に記憶するステップと
前記サーバ装置は前記商品販売者が販売する商品に対して前記ユーザが保有するポイントによる決済を要求した場合に
前記ポイントによる決済要求に応じて前記商品の決済処理を実行するステップと
当該決済に使用されたポイントを当該商品販売者の識別情報に対応付けて記憶するステップと
前記サーバ装置は前記商品販売者が前記商品販売者データ記憶部に換金請求するポイント数を入力すると
当該ポイント数に前記Ｗｅｂサイトが定める手数料の換金率を乗して
換金の金額を算出するステップと
前記サーバ装置が当該商品販売者の前記ポイント換金手数料を当該Ｗｅｂサイトが受取るステップとを含むことを特徴とするＷｅｂサイト運用方法。【００２５】  請求項１８に記載の発明は、
商品販売者の端末とユーザの端末とサービス実施者の端末がアクセス可能なＷｅｂサイトを構成するサーバ装置におけるＷｅｂサイト運用方法であって
前記サービス実施者端末のサービス実施者は前記Ｗｅｂサイトを利用する前記ユーザ端末のユーザに対してサービスを実施するステップと
前記サービス実施者が実施するサービスに協力したユーザに対して、協力対価としてサービス実施者から付与することに使用可能な同額分の金銭的価値を示すポイントにお金を交換できる、ステップと
当該交換したポイントを当該サービス実施者の識別情報に対応付けて記憶手段に記憶するステップと
前記サーバ装置が前記サービス実施者の実施するサービスに協力した前記ユーザに対して
前記サービス実施者から商品の決済に使用可能なポイントを付与する付与処理を実行し
当該付与されたポイントを当該ユーザの識別情報に対応付けて記憶手段に記憶するステップと
前記サーバ装置は前記商品販売者が販売する商品に対して前記ユーザが保有するポイントによる決済を要求した場合に
前記ユーザが保有しているポイントからＷｅｂサイトが定める購入手数料を前記ユーザが保有するポイントから徴収するステップと
前記サーバ装置が前記ポイントによる決済要求に応じて前記商品の決済処理を実行するステップと
前記サーバ装置が当該決済に使用されたポイントを当該商品販売者の識別情報に対応付けて記憶するステップと
前記サーバ装置は前記商品販売者が前記商品販売者データ記憶部に換金請求するポイント数を入力すると
当該ポイント数に応じた換金額を算出し、
前記商品販売者の指定口座へ前記換金額を支払うステップとを含むことを特徴とするＷｅｂサイト運用方法。【００２６】  請求項１９に記載の発明は、
商品販売者の端末とユーザの端末とサービス実施者の端末がアクセス可能なＷｅｂサイトを構成するサーバ装置におけるＷｅｂサイト運用方法であって
前記サービス実施者端末のサービス実施者は前記Ｗｅｂサイトを利用する前記ユーザ端末のユーザに対してサービスを実施するステップと
前記サービス実施者が実施するサービスに協力したユーザに対して、協力対価としてサービス実施者から付与することに使用可能な同額分の金銭的価値を示すポイントにお金を交換できる、ステップと
当該交換したポイントを当該サービス実施者の識別情報に対応付けて記憶手段に記憶するステップと
前記サーバ装置が前記サービス実施者の実施するサービスに協力した前記ユーザに対して
前記サービス実施者から商品の決済に使用可能なポイントを付与する付与処理を実行し
当該付与されたポイントを当該ユーザの識別情報に対応付けて記憶手段に記憶するステップと
前記サーバ装置は前記商品販売者が販売する商品に対して前記ユーザが保有するポイントによる決済を要求した場合に
前記ポイントによる決済要求に応じて前記商品の決済処理を実行するステップと
前記サーバ装置が当該決済に使用されたポイントを当該商品販売者の識別情報に対応付けて記憶するステップと
前記サーバ装置は前記商品販売者が前記商品販売者データ記憶部に換金請求するポイント数を入力すると
当該ポイント数に応じた換金額を算出し、
前記商品販売者の指定口座へ前記換金額を支払うステップとを含むことを特徴とするＷｅｂサイト運用方法。【００２７】  請求項２０に記載の発明は、
商品販売者の端末とユーザの端末とサービス実施者の端末がアクセス可能なＷｅｂサイトを構成するコンピュータに
前記サービス実施者端末のサービス実施者は前記Ｗｅｂサイトを利用する前記ユーザ端末のユーザに対してサービスを実施するステップと
前記サービス実施者が実施するサービスに協力したユーザに対して、協力対価としてサービス実施者から付与することに使用可能な同額分の金銭的価値を示すポイントにお金を交換できる、ステップと
当該交換したポイントを当該サービス実施者の識別情報に対応付けて記憶手段に記憶するステップとを実行することを特徴とするサーバプログラム。【００２８】  請求項２１に記載の発明は、
商品販売者の端末とユーザの端末とサービス実施者の端末がアクセス可能なＷｅｂサイトを構成するサーバ装置におけるＷｅｂサイト運用方法であって
前記サービス実施者端末のサービス実施者は前記Ｗｅｂサイトを利用する前記ユーザ端末のユーザに対してサービスを実施するステップと
前記サービス実施者が実施するサービスに協力したユーザに対して、協力対価としてサービス実施者から付与することに使用可能な同額分の金銭的価値を示すポイントにお金を交換できる、ステップと
当該交換したポイントを当該サービス実施者の識別情報に対応付けて記憶手段に記憶するステップとを含むことを特徴とするＷｅｂサイト運用方法。
【発明の効果】
【００２９】本発明によれば、企業などのサービス実施者はアンケートなどのサービスを実施した際、協力してくれたユーザへ、アンケートを実施したサービス実施者からポイントを付与する仕組みがあることで、企業などのサービス実施者はアンケートを実施する際ユーザからのアンケートなどの協力を得やすくなる。またユーザはお金を持っていなくても、サービス実施者から得たポイントを使い商品販売者が販売する商品を購入できるようになる。
また、お金がないという理由で今まで、商品を買えなかったユーザがポイントを使い商品を購入することで、商品販売者は新しい購入層ができることにより売上を拡大できる。
またＷｅｂサイトはサービス実施者から収益を得なくても
商品販売者がポイントにより商品代金を支払われることで得たポイントを
換金する際、商品販売者から換金手数料など受取ることで収益を得ることができる。
【発明を実施するための最良の形態】
【００３０】＜実施形態＞
［１．概要］
サービス実施者はＷｅｂサイトでお金をポイントに交換することができる
「お金をポイントへ交換する」の手続きをふむ（ポイントのフローチャート（図６）の表記６０１と同様）
またサービス実施者は、ユーザに対して実施するサービスを選んで実施することができ
（実施するサービスを選ぶ（図１０）の表記１０００と同様）
サービス実施者が実施したサービスに協力してくれたユーザに対して、ポイントを付与することを実現している。（ポイントのフローチャート（図６）の表記１００１と同様）
また、ユーザは協力することで得たポイントを使って商品販売者の商品を購入できる。
「持っているポイントを使って購入する」の購入手続き
（商品の購入方法（図７）の表記７０１と同様）
本実施形態のサーバ装置は
またユーザが商品を購入する為のショッピングページの入り口としてユーザ向けのショッピングページを設け、サービス実施者に協力することでポイントをもらえる「ポイントをもらう」の表記欄を配置している（ユーザページ（  図４）の表示欄４０１と同様）。本実施形態のシステムは当該表示欄に「ポイントをもらう」の情報を表示させることにより、
サービス実施者に協力した対価としてポイントを受取ることができるようにし、ユーザがサービス実施者から協力対価として受取ったポイントを利用することができる
「持っているポイントを使って購入」の表記欄を配置している
（ユーザページ（図５）の表記欄５０１）
これにより、お金を無くてもポイントにより商品を購入できること
を実現している。
またこれにより商品販売者は商品の購入代金をポイントで支払われることで得たポイントを換金することができる。
「ポイントの換金を要求する」の換金手続き
（ポイントの換金（図３０）のフローチャート図）
またポイントを換金するにあたりＷｅｂサイトに対して商品販売者は換金手数料を支払うことでＷｅｂサイトは収益を上げられることを実現している。【００３１】［２．サーバ装置の構成］
図２は同実施形態によるサーバ装置の構成例を示すブロック図である。
この図においてサーバ装置１は
表示部５、入出力部６、ポイント換金部８、
Ｗｅｂサイトサービス情報記憶部１１、ポイント交換部９
Ｗｅｂサイトサービス管理部１００
ユーザ情報記憶部２１、ユーザ購入商品情報記憶部２２、ユーザ情報管理部２４、ユーザポイント登録部２５、
サービス実施者情報記憶部３１、実施内容記憶部３２、回答回収情報記憶部３３、サービス実施者管理部３４、サービス実施者ポイント登録部３５、
商品販売者情報記憶部４１、商品情報記憶部４２、商品販売者の売上管理記憶部４３商品販売者管理部４４、商品販売者ポイント登録部４５、商品販売者の収益情報記憶部４６から構成されている。【００３２】サービス実施者ポイント登録部３５はＷｅｂサイトでお金を交換することで得たポイントを各サービス実施者の識別情報とを対応させて
実施内容記憶部３２に格納する。
ユーザポイント登録部２５は、サービス実施者が実施するアンケートなどにユーザが回答するなどして協力することで、サービス実施者からユーザへ付与されるポイントを各ユーザの識別情報に対応させてユーザ情報記憶部２１に格納する。
商品販売者ポイント登録部４５はユーザなどにより商品の購入代金をポイントにより支払われることで得たポイントを各商品販売者の識別情報に対応させて商品販売者情報記憶部４１に格納する。【００３３】  サービス実施者情報管理部３４は、サービス実施者情報記憶部３１に対するサービス実施者の新規登録（識別情報及びパスワードの発行）、またすでに登録されているサービス実施者の登録内容の変更を行う。
ユーザ情報管理部２４はユーザ情報記憶部２１に対するユーザの
新規登録（識別情報及びパスワードの発行）、またすでに登録されているユーザの登録内容の変更を行う。
商品販売者情報管理部４４は商品販売者情報記憶部４１に対する商品販売者の
新規登録（識別情報及びパスワードの発行）、またすでに登録されている商品販売者の登録内容の変更を行う。【００３４】［２−１．サーバ装置］
図２においてサーバ装置１は、Ｗｅｂサイトのサービスを管理するサーバ群である。
サーバ装置１は、例えば、Ｗｅｂページの生成・送信機能を有するＷｅｂサーバデータベースを管理する記憶部サーバ及びその他の必要なアプリケーションサーバーを含む【００３５】［（ａ）ユーザ情報記憶部］
図２において、ユーザ情報記憶部２１は、Ｗｅｂサイトのサービスを利用するユーザの情報を記憶しているデータベースである
図３（ａ）に、ユーザ情報の主要な項目を示す。
図３（ａ）に示すように、１件のユーザ情報は、「ユーザＩＤ」及び「パスワード」及び「所有ポイント数」を含んでいる。【００３６】［（ｂ）ユーザ購入商品記憶部］
図２において、ユーザ購入商品記憶部２２は、Ｗｅｂサイトのサービスを利用するユーザの購入商品の情報を記憶しているデータベースである
図３（ｂ）に、ユーザ購入商品の情報の主要な項目を示す。
図３（ｂ）に示すように、１件の情報は、「ユーザＩＤ」及び「商品ＩＤ」及び「商品名」及び「商品価格」を含んでいる。【００３７】［（ｃ）サービス実施者情報記憶部］
図２において、サービス実施者情報記憶部３１は、Ｗｅｂサイトのサービスを利用するサービス実施者の情報を記憶しているデータベースである
図３（ｃ）に、サービス実施者情報の主要な項目を示す。
図３（ｃ）に示すように、１件の情報は、「サービス実施者ＩＤ」及び「パスワード」及び「支払方法情報」及び「保有ポイント数」を含んでいる。【００３８】［（ｄ）実施内容記憶部］
図２において、実施内容記憶部３２は、Ｗｅｂサイトのサービスを利用するサービス実施者の実施内容の情報を記憶しているデータベースである
図３（ｄ）に、実施したサービスの主要な情報の項目を示す。
図３（ｄ）に示すように、１件の情報は、「サービス注文番号」及び「実施管理番号」及び「サービス実施者ＩＤ」及び「実施対象のユーザ情報ＩＤ」及び「実施人数」及び「ユーザへの付与ポイント単価」及び「付与するポイントの総数」及び「回答回収期限」を含んでいる。【００３９】［（ｅ）回答回収情報記憶部］
図２において、回答回収情報記憶部３３は、Ｗｅｂサイトのサービスを利用するサービス実施者がユーザより回収した情報を記憶しているデータベースである
図３（ｅ）に、回収情報の主要な項目を示す。
図３（ｅ）に示すように、１件の情報は、「実施管理番号」及び「回答回収情報番号」及び「サービス実施者ＩＤ」及び「実施対象のユーザＩＤ」及び「回収したデータの内容」及び「実施日時」を含んでいる。【００４０】［（ｆ）商品販売者情報記憶部］
図２において、商品販売者情報記憶部４１は、Ｗｅｂサイトのサービスを利用する商品販売者の情報を記憶しているデータベースである
図３（ｆ）に、商品販売者情報の主要な項目を示す。
図３（ｆ）に示すように、１件の情報は、「商品販売者ＩＤ」及び「パスワード」及び「振込先情報」を含んでいる。【００４１】［（ｇ）商品販売者の商品情報記憶部］
図２において、商品販売者の商品情報記憶部４２は、Ｗｅｂサイトのサービスを利用する商品販売者の商品情報を記憶しているデータベースである
図３（ｇ）に、商品情報の主要な項目を示す。
図３（ｇ）に示すように、１件の情報は、「商品ＩＤ」及び「商品名」及び「商品価格」及び「商品内容のデータ」を含んでいる。【００４２】［（ｈ）商品販売者の売上管理記憶部］
図２において、商品販売者の売上管理記憶部４３は、Ｗｅｂサイトのサービスを利用する商品販売者の売上情報を記憶しているデータベースである
図３（ｈ）に、売上管理情報の主要な項目を示す。
図３（ｈ）に示すように、１件の情報は、「売上管理番号」及び「商品販売者ＩＤ」及び「商品ＩＤ」及び「商品名」及び「商品価格」及び「ポイントによる売上額」及び「現金による売上額」を含んでいる。【００４３】［（ｉ）商品販売者の収益情報記憶部］
図２において、商品販売者の収益情報記憶部４４は、Ｗｅｂサイトのサービスを利用する商品販売者の収益情報を記憶しているデータベースである
図３（ｉ）に、商品販売者の収益情報の主要な項目を示す。
図３（ｉ）に示すように、１件の情報は、「商品販売者ＩＤ」及び「売上管理番号」及び「収益額」及び「Ｗｅｂサイトへのポイント換金手数料」を含んでいる。【００４４】［（ｊ）Ｗｅｂサイトサービス情報記憶部］
図２において、Ｗｅｂサイトサービス情報記憶部１１は、Ｗｅｂサイトのサービスを利用するサービス実施者向けに用意されたサービスの情報を記憶しているデータベースである
図３（ｊ）に、サービス実施者向けサービス情報の主要な項目を示す。
図３（ｊ）に示すように、１件の情報は、「サービス番号」及び「サービス種別」及び「サービス名」及び「サービス内容説明」を含んでいる。【００４５】〈ポイントへの交換〉
以下図９のフローチャートに従い、サービス実施者がお金をポイントに交換する動作を説明する。
ポイント交換部９は入力部６を介してサービス実施者端末３０から
アクセスされ、制御情報が入力されると、この制御情報がお金をポイントへの交換を要求する情報であるか否かの検出を行い、ポイントへの交換を要求する情報であることを
検出した場合、処理をステップＳ４０２へ進め、一方、ポイントへの交換を要求する情報でないことを検出した場合、処理をステップＳ４０９へ進め終了する。【００４６】    ポイント交換の要求情報であることを検出するとポイント交換部９は
サービス実施者端末３０から入力されるポイントへ交換する金額を入力する（ステップＳ４０２）
次にポイント交換部９はサービス実施者に対して、ポイントに交換するお金を請求する（ステップＳ４０３）
次にポイント交換部９は、サービス実施者によりポイントに交換するお金が支払われたことをを確認する（ステップＳ４０４）
そしてポイント交換部９は入金を確認したことで、お金と交換したポイント数をサービス実施者の保有ポイント数に加算し、（ステップＳ４０５）
この加算結果を保有ポイント数に上書きする（ステップＳ４０６）
とともに上記保有ポイント数を表示部５へ出力する。（ステップＳ４０７）
次にサービス実施者から確認完了の操作を検出した場合（ステップＳ４０８）
処理ステップＳ４０９へ進め終了する。【００４７】〈ポイント換金〉
以下図８のフローチャートに従い、商品販売者が所有しているポイント換金の動作を説明する。
ポイント換金部８は入力部６を介して商品販売者端末４０から
アクセスされ、制御情報が入力されると、この制御情報がポイント換金を要求する
情報であるか否かの検出を行い、ポイント換金の要求情報であることを
検出した場合、処理をステップＳ３０２へ進め、一方、ポイント換金の要求
でないことを検出した場合、処理をステップＳ３１３へ進め終了する。【００４８】  ポイント換金の要求情報であることを検出するとポイント換金部８は
Ｗｅｂサイトサービス管理部１００から換金率を読み出し（ステップＳ３０２）
商品販売者端末４０から入力される
換金対象のポイント数データを入力する（ステップＳ３０３）
そしてポイント換金部８は、上記換金対象のポイント数に対して
換金率を乗じて
換金額を算出する（ステップＳ３０４）
算出すると、ポイント換金部８は換金したポイント数を
残ポイント数から減算し、この減算結果を残ポイント数に上書きする
（ステップＳ３０５）とともに上記換金額を表示部５へ出力する。
そして、表示部５は、入力される換金額を表示画面に表示する（ステップＳ３０６）
次に商品販売者端末から制御情報が入力されると、この制御情報が
換金額を商品販売者が指定する口座への入金要求情報であるか
否かの検出を行い、指定口座への入金要求情報であることを
検出した場合ステップＳ３０８へ進め、一方、指定口座への入金要求情報でないことを検出した場合、処理ステップＳ３１３へ進め終了する
指定口座への入金要求情報であることを検出すると（ステップＳ３０７）
ポイント換金部８は、商品販売者情報記憶部４１から商品販売者の
入金先口座情報を読み出し（ステップＳ３０８）
上記入金先口座情報を表示部５へ出力する。
そして、表示部５は入金先口座情報を表示画面に表示する（ステップＳ３０９）
次に商品販売者端末から制御情報が入力されると、この制御情報が
入金操作を実行する要求情報であるか否かの検出を行い、入金操作を実行する要求情報であることを検出した場合ステップＳ３１１へ進め、一方、入金操作を実行する要求情報でないことを検出した場合、処理ステップＳ３１３へ進め終了する
入金操作を実行する要求情報であることを検出すると（ステップＳ３１０）
換金額を商品販売者の指定した入金先口座への入金を実行する（ステップＳ３１１）
上記入金を完了したことを表示部５へ出力する（ステップＳ３１２）
次に商品販売者端末から確認完了の操作を検出した場合
処理ステップＳ３１３へ進め終了する。
【産業情の利用可能性】
【００４９】  本発明に係る
サービス実施者とＷｅｂサイトと商品販売者とユーザがそれぞれ抱える問題を解決できる
本サーバ装置は、今まで売る者と買う者の２者間の取引だけでは実現できなかった購入システムを実現しており、様々なショッピングサイト上で実現可能であり、多くの人から望まれるサーバ装置であることから産業上の利用可能性を有する。
【図面の簡単な説明】
【００５０】
【図１】Ｗｅｂサイトとサービス実施者とユーザと商品販売者の関係を表した説明図である。
【図２】システム構成を示すブロック図である。
【図３】データベースのデー夕項目の説明図である。
【図４】ユーザのトップページの表示例である。
【図５】ユーザページの購入画面の表示例である。
【図６】ポイントのフローチャート図である。
【図７】商品の購入方法の手順を示すフローチャート図である。
【図８】ポイント換金のフローチャート図である
【図９】ポイント交換のフローチャート図である
【図１０】実施するサービスを選ぶ図である
【符号の説明】
【００５１】    １  サーバ装置
５  表示部
６  入出力部
７  ネットワーク
８  ポイント換金部
９  ポイント交換部
１１  Ｗｅｂサイトサービス情報ＤＢ
２０  ユーザ端末
２１  ユーザ情報記憶部
２２  ユーザ購入商品記憶部
２４  ユーザ情報管理部
２５  ユーザ情報登録部
３０  サービス実施者端末
３１  サービス実施者情報記憶部
３２  実施内容記憶部
３３  回答回収情報記憶部
３４  サービス実施者管理部
３５  サービス実施者ポイント登録部
４０  商品販売者端末
４１  商品販売者情報記憶部
４２  商品販売者の商品情報記憶部
４３  商品販売者の売上管理記憶部
４４  商品販売者情報管理部
４５  商品販売者ポイント登録部
４６  商品販売者の収益情報記憶部
１００  Ｗｅｂサイトサービス管理部
【図１】
2016119034.tif 000003
【図２】
2016119034.tif 000004
【図３】
2016119034.tif 000005
【図４】
2016119034.tif 000006
【図５】
2016119034.tif 000007
【図６】
2016119034.tif 000008
【図７】
2016119034.tif 000009
【図８】
2016119034.tif 000010
【図９】
2016119034.tif 000011
【図１０】
2016119034.tif 000012